(57)【要約】【課題】被塗物に対して塗着する液体の塗着量を部分的に変化させることができる静電噴霧方法を提供する。【解決手段】本発明の静電噴霧方法は、静電噴霧装置１０の液体噴霧部２０から静電気力だけで液体を噴霧して被塗物４０に液体を塗布する静電噴霧方法であって、被塗物４０の近くの第１位置に静電噴霧装置１０の導電性又は半導電性の吸着電極３０を配置して、被塗物４０及び吸着電極３０を同電位に保ちつつ、被塗物４０及び吸着電極３０と液体噴霧部２０の間に静電気力を発生させる電圧を印加して、被塗物４０に向かって液体を噴霧する噴霧ステップを含み、第１位置は、吸着電極３０を設けないときに、噴霧される液体のうち被塗物４０に塗着する液体が存在する範囲内の位置であり、噴霧ステップが、吸着電極３０を配置していなければ、被塗物４０に塗着できたはずの液体のうちの一部を吸着電極３０に吸着させて、被塗物４０に塗着させないように行われる。【選択図】図１
2019058864.tif 000002
【特許請求の範囲】
【請求項１】
静電噴霧装置のノズルを有する液体噴霧部から静電気力だけで液体を噴霧して被塗物に液体を塗布する静電噴霧方法であって、
前記被塗物の近くの第１位置に前記静電噴霧装置の導電性又は半導電性の吸着電極を配置して、前記被塗物及び前記吸着電極を同電位に保ちつつ、前記被塗物及び前記吸着電極と前記液体噴霧部の間に前記静電気力を発生させる電圧を印加して、前記被塗物に向かって前記液体を噴霧する噴霧ステップを含み、
前記第１位置は、前記吸着電極を設けないときに、前記噴霧される液体のうち前記被塗物に塗着する液体が存在する範囲内の位置であり、
前記噴霧ステップが、前記吸着電極を配置していなければ、前記被塗物に塗着できたはずの液体のうちの一部を前記吸着電極に吸着させて、前記被塗物に塗着させないように行われることを特徴とする静電噴霧方法。
【請求項２】
前記被塗物から見て、前記液体噴霧部側を前記被塗物の前方側とし、前記前方側と反対側となる側を後方側とし、残る側を側方側とすると、前記噴霧ステップが、前記被塗物の後方側又は側方側に前記吸着電極を配置し、前記被塗物を固定した状態で行われることを特徴とする請求項１に記載の静電噴霧方法。
【請求項３】
前記被塗物から見て、前記液体噴霧部側を前記被塗物の前方側とし、前記前方側と反対側となる側を後方側とし、残る側を側方側とすると、前記噴霧ステップが、前記被塗物の後方側及び側方側に沿った少なくとも一部の部分で前記吸着電極と前記被塗物との間の離間距離が変わるように、前記被塗物の側方側に沿って前記吸着電極を配置し、前記被塗物を回転させた状態で行われることを特徴とする請求項１に記載の静電噴霧方法。
【請求項４】
前記噴霧ステップが、前記被塗物の対向する側方側のそれぞれに、前記吸着電極を配置して行われることを特徴とする請求項３に記載の静電噴霧方法。
【請求項５】
細長い棒状の電極が前記吸着電極として用いられることを特徴とする請求項１から請求項４のいずれか１項に記載の静電噴霧方法。
【請求項６】
前記第１位置は、前記被塗物からの距離で２０ｍｍ以内に前記吸着電極の少なくとも一部が位置する位置であることを特徴とする請求項１から請求項５のいずれか１項に記載の静電噴霧方法。
【請求項７】
被塗物に向けて静電気力だけで液体を噴霧する静電噴霧装置であって、
前記静電噴霧装置は、
ノズルを有する液体噴霧部と、
前記被塗物の近くの第１位置に配置される導電性又は半導電性の吸着電極と、
前記被塗物及び前記吸着電極を同電位に保ちつつ、前記被塗物及び前記吸着電極と前記液体噴霧部の間に電圧を印加して前記静電気力を発生させる電圧印加手段と、を備え、
前記第１位置が、前記吸着電極を設けないときに、前記噴霧される液体のうち前記被塗物に塗着する液体が存在する範囲内の位置であることを特徴とする静電噴霧装置。
【請求項８】
前記静電噴霧装置は前記被塗物を固定する固定手段を備え、
前記被塗物から見て、前記液体噴霧部側を前記被塗物の前方側とし、前記前方側と反対側となる側を後方側とし、残る側を側方側とすると、前記吸着電極が、固定された前記被塗物の後方側又は側方側に配置されることを特徴とする請求項７に記載の静電噴霧装置。
【請求項９】
前記静電噴霧装置は前記被塗物を回転させる回転手段を備え、
前記被塗物から見て、前記液体噴霧部側を前記被塗物の前方側とし、前記前方側と反対側となる側を後方側とし、残る側を側方側とすると、前記吸着電極が、回転する前記被塗物の側方側に沿った少なくとも一部の部分で前記吸着電極と前記被塗物との間の離間距離が変わるように、前記被塗物の側方側に沿って配置されることを特徴とする請求項７に記載の静電噴霧装置。
【請求項１０】
前記静電噴霧装置は、前記被塗物の対向する側方側のそれぞれに配置される一対の前記吸着電極を備えていることを特徴とする請求項９に記載の静電噴霧装置。
【請求項１１】
前記吸着電極が細長い棒状であることを特徴とする請求項７から請求項１０のいずれか１項に記載の静電噴霧装置。
【請求項１２】
前記第１位置は、前記被塗物からの距離で２０ｍｍ以内に前記吸着電極の少なくとも一部が位置する位置であることを特徴とする請求項７から請求項１１のいずれか１項に記載の静電噴霧装置。
【発明の詳細な説明】
【技術分野】
【０００１】
本発明は静電噴霧方法及びその静電噴霧方法のための静電噴霧装置に関する。
【背景技術】
【０００２】
特許文献１には、静電気力だけで被塗物に液体を噴霧する静電噴霧措置が開示されている。
この静電噴霧装置は、被塗物に塗着できない液体を捕集する捕集体を備えており、被塗物に塗着できない液体によって周囲を汚すことなく液体の噴霧が行えるものになっている。
【先行技術文献】
【特許文献】
【０００３】
【特許文献１】特開２０１６−１３７４２８号公報
【発明の概要】
【発明が解決しようとする課題】
【０００４】
ところで、静電噴霧装置の液体を噴霧するノズルから静電気力だけで液体を被塗物に向かって噴霧する場合、例えば、棒状の被塗物であって、その被塗物を回転させながら液体の噴霧が行えないときには、被塗物のノズルに対向する側（以下、前方側ともいう。）とその反対側（以下、後方側ともいう）で、後方側の方が液体の塗着量が多くなる傾向が見られる。
【０００５】
このため、例えば、液体の塗着量を被塗物の周方向に均一にするには、被塗物の後方側の液体の塗着量を減らすように変化させる必要がある。
また、上記とは別に、棒状の被塗物の長さ方向に液体の塗着量を変化させたい場合も考えられる。
【０００６】
本発明は、このような事情に鑑みてなされたものであり、被塗物に対して塗着する液体の塗着量を部分的に変化させることができる静電噴霧方法及びその静電噴霧方法のための静電噴霧装置を提供することを目的とする。
【課題を解決するための手段】
【０００７】
本発明は、上記目的を達成するために、以下の構成によって把握される。
（１）本発明の静電噴霧方法は、静電噴霧装置のノズルを有する液体噴霧部から静電気力だけで液体を噴霧して被塗物に液体を塗布する静電噴霧方法であって、前記被塗物の近くの第１位置に前記静電噴霧装置の導電性又は半導電性の吸着電極を配置して、前記被塗物及び前記吸着電極を同電位に保ちつつ、前記被塗物及び前記吸着電極と前記液体噴霧部の間に前記静電気力を発生させる電圧を印加して、前記被塗物に向かって前記液体を噴霧する噴霧ステップを含み、前記第１位置は、前記吸着電極を設けないときに、前記噴霧される液体のうち前記被塗物に塗着する液体が存在する範囲内の位置であり、前記噴霧ステップが、前記吸着電極を配置していなければ、前記被塗物に塗着できたはずの液体のうちの一部を前記吸着電極に吸着させて、前記被塗物に塗着させないように行われる。
【０００８】
（２）上記（１）の構成において、前記被塗物から見て、前記液体噴霧部側を前記被塗物の前方側とし、前記前方側と反対側となる側を後方側とし、残る側を側方側とすると、前記噴霧ステップが、前記被塗物の後方側又は側方側に前記吸着電極を配置し、前記被塗物を固定した状態で行われる。
【０００９】
（３）上記（１）の構成において、前記被塗物から見て、前記液体噴霧部側を前記被塗物の前方側とし、前記前方側と反対側となる側を後方側とし、残る側を側方側とすると、前記噴霧ステップが、前記被塗物の後方側及び側方側に沿った少なくとも一部の部分で前記吸着電極と前記被塗物との間の離間距離が変わるように、前記被塗物の側方側に沿って前記吸着電極を配置し、前記被塗物を回転させた状態で行われる。
【００１０】
（４）上記（３）の構成において、前記噴霧ステップが、前記被塗物の対向する側方側のそれぞれに、前記吸着電極を配置して行われる。
【００１１】
（５）上記（１）から（４）のいずれか１つの構成において、細長い棒状の電極が前記吸着電極として用いられる。
【００１２】
（６）上記（１）から（５）のいずれか１つの構成において、前記第１位置は、前記被塗物からの距離で２０ｍｍ以内に前記吸着電極の少なくとも一部が位置する位置である。
【００１３】
（７）本発明の静電噴霧装置は、被塗物に向けて静電気力だけで液体を噴霧する静電噴霧装置であって、前記静電噴霧装置は、ノズルを有する液体噴霧部と、前記被塗物の近くの第１位置に配置される導電性又は半導電性の吸着電極と、前記被塗物及び前記吸着電極を同電位に保ちつつ、前記被塗物及び前記吸着電極と前記液体噴霧部の間に電圧を印加して前記静電気力を発生させる電圧印加手段と、を備え、前記第１位置が、前記吸着電極を設けないときに、前記噴霧される液体のうち前記被塗物に塗着する液体が存在する範囲内の位置である。
【００１４】
（８）上記（７）の構成において、前記静電噴霧装置は前記被塗物を固定する固定手段を備え、前記被塗物から見て、前記液体噴霧部側を前記被塗物の前方側とし、前記前方側と反対側となる側を後方側とし、残る側を側方側とすると、前記吸着電極が、固定された前記被塗物の後方側又は側方側に配置される。
【００１５】
（９）上記（７）の構成において、前記静電噴霧装置は前記被塗物を回転させる回転手段を備え、前記被塗物から見て、前記液体噴霧部側を前記被塗物の前方側とし、前記前方側と反対側となる側を後方側とし、残る側を側方側とすると、前記吸着電極が、回転する前記被塗物の側方側に沿った少なくとも一部の部分で前記吸着電極と前記被塗物との間の離間距離が変わるように、前記被塗物の側方側に沿って配置される。
【００１６】
（１０）上記（９）の構成において、前記静電噴霧装置は、前記被塗物の対向する側方側のそれぞれに配置される一対の前記吸着電極を備えている。
【００１７】
（１１）上記（７）から（１０）のいずれか１つの構成において、前記吸着電極が細長い棒状である。
【００１８】
（１２）上記（７）から（１１）のいずれか１つの構成において、前記第１位置は、前記被塗物からの距離で２０ｍｍ以内に前記吸着電極の少なくとも一部が位置する位置である。
【発明の効果】
【００１９】
本発明によれば、被塗物に対して塗着する液体の塗着量を部分的に変化させることができる静電噴霧方法及びその静電噴霧方法のための静電噴霧装置を提供することができる。
【図面の簡単な説明】
【００２０】
【図１】本発明に係る第１実施形態の静電噴霧装置を説明するための斜視図である。
【図２】本発明に係る第１実施形態の液体噴霧部だけを示した断面図である。
【図３】図２の液体噴霧部の先端側の拡大断面図であり、（ａ）は心棒の先端面が後方に位置する場合であり、（ｂ）は（ａ）の状態よりも心棒の先端面が前方に位置する場合である。
【図４】本発明に係る第１実施形態のノズルから噴霧された液体が被塗物に塗着するところを示した図であり、（ａ）は吸着電極を配置した場合を示す図であり、（ｂ）は吸着電極を配置しなかった場合を示す図である。
【図５】本発明に係る第２実施形態の静電噴霧装置を説明するための斜視図である。
【発明を実施するための形態】
【００２１】
以下、添付図面を参照して、本発明を実施するための形態（以下、実施形態）について詳細に説明する。
なお、実施形態の説明の全体を通して同じ要素には同じ番号又は符号を付している。
【００２２】
また、特に断りがない場合、「先（端）」や「前（方）」等の表現は、各部材等において液体の噴霧方向側を表し、「後（端）」や「後（方）」等の表現は、各部材等において液体の噴霧方向と反対側を表すものとする。
【００２３】
（第１実施形態）
図１は、本発明に係る第１実施形態の静電噴霧装置１０を説明するための斜視図である。
図１に示すように、静電噴霧装置１０は、ノズル２２を有する液体噴霧部２０と、導電性又は表面抵抗が１０１０Ω以下の半導電性の吸着電極３０と、吸着電極３０及び被塗物４０と液体噴霧部２０の間に電圧を印加する電圧印加手段５０と、備えている。
【００２４】
電圧印加手段５０は、電圧電源５１と、電圧電源５１の一方の電極と液体噴霧部２０を電気的に接続する第１電気配線５２と、電圧電源５１の他方の電極と吸着電極３０及び被塗物４０を電気的に接続する第２電気配線５３と、を備えている。
【００２５】
なお、第２電気配線５３は、電圧電源５１の他方の電極に接続されるのと反対側が２分岐された分岐配線を備えており、その分岐配線の一方の分岐配線である第１分岐配線５３ａが被塗物４０に接続され、他方の分岐配線である第２分岐配線５３ｂが吸着電極３０に接続されている。
【００２６】
本実施形態では、第１分岐配線５３ａ及び第２分岐配線５３ｂが、直接、被塗物４０及び吸着電極３０に接続されている場合を示しているが、これらは電気的な接続がなされていればよい。
このため、第１分岐配線５３ａ及び第２分岐配線５３ｂと被塗物４０及び吸着電極３０の間の電気的な接続ができさえすれば、第１分岐配線５３ａ及び第２分岐配線５３ｂと被塗物４０及び吸着電極３０の間に介在する部材があってもよい。
なお、第２電気配線５３で、被塗物４０及び吸着電極３０と電圧電源５１の他方の電極が接続されているため、被塗物４０及び吸着電極３０は同電位になっており、後述するように、被塗物４０の近くの位置に吸着電極３０を配置しても、スパーク等が発生することを回避できる。
【００２７】
本実施形態では、静電噴霧装置１０は、アース手段５４を備えており、第２電気配線５３がアース手段５４に接続されているため、被塗物４０及び吸着電極３０は、アースされた状態になっている。
なお、アース手段５４は、必須の要件ではないが、被塗物４０は作業者が触れる可能性があるので、安全面の観点からアース手段５４を設けて被塗物４０をアースするようにすることが好ましい。
【００２８】
そして、後ほど、どのように液体が噴霧されるかについては説明するが、電圧印加手段５０は、被塗物４０及び吸着電極３０の電位を同電位である第１電位とし、液体噴霧部２０の電位を第２電位とすると、第１電位と第２電位の間の電位差が、ノズル２２から静電気力だけで液体を噴霧する静電気力を被塗物４０及び吸着電極３０と液体噴霧部２０の間に発生させるだけの電位差となるように、被塗物４０及び吸着電極３０と液体噴霧部２０の間に電圧を印加する。
【００２９】
したがって、静電噴霧装置１０を用いた静電噴霧方法では、液体を噴霧する噴霧ステップが、被塗物４０及び吸着電極３０を同電位に保ちつつ、被塗物４０及び吸着電極３０と液体噴霧部２０の間に静電気力を発生させる電圧を印加して、その電圧の印加によって発生する静電気力だけで被塗物４０に向かって液体を噴霧する噴霧ステップとなる。
【００３０】
（液体噴霧部２０）
図２は、液体噴霧部２０だけを示した断面図であり、液体噴霧部２０から後述するように塗料等の液体が噴霧されている状態を合わせて図示したものになっている。
【００３１】
図２に示すように、液体噴霧部２０は、液体の供給される液体供給口２１ａを有する液体流路２１ｂが形成された絶縁材料からなる胴体部２１と、貫通孔が胴体部２１の液体流路２１ｂに連通するように胴体部２１の先端に設けられるノズル２２と、胴体部２１の液体流路２１ｂ内及びノズル２２の貫通孔内に配置される導電材料からなる心棒２３と、を備えている。
【００３２】
胴体部２１には、心棒２３を後端側に取り出すために、液体流路２１ｂと連通した孔部２１ｃが設けられ、その孔部２１ｃ内には、心棒２３との間の隙間をシールして液体が漏れないようにするシール部材２４が設けられている。
なお、本実施形態では、シール部材２４としてＯリングを用いているが、Ｏリングに限らず、シールが可能なものであればよい。
【００３３】
そして、孔部２１ｃを通じて胴体部２１の後端側に位置する心棒２３の後端には、絶縁材料からなる摘み部２３ａが設けられているとともに、摘み部２３ａのほぼ中央を貫通するように設けられた導電材料からなる電気配線接続部２３ｂが設けられている。
【００３４】
図１に示すように、電気配線接続部２３ｂには、電圧印加手段５０の第１電気配線５２が接続され、電気配線接続部２３ｂが心棒２３に接触するようにされることで心棒２３と電気配線接続部２３ｂとが電気的に接続されている。
【００３５】
なお、本実施形態では、心棒２３を液体噴霧部２０側の電極としているが、例えば、液体噴霧部２０のノズル２２を導電材料からなるものとして、このノズル２２に電圧印加手段５０の第１電気配線５２を接続するようにし、ノズル２２を液体噴霧部２０側の電極としてもよい。
【００３６】
また、図２に示すように、胴体部２１の後端開口部２１ｄの内周面には、摘み部２３ａを螺合接続するための雌ネジ構造２１ｅが設けられ、一方、摘み部２３ａの先端外周面には、雄ネジ構造２３ｃが設けられている。
【００３７】
したがって、胴体部２１の後端開口部２１ｄの雌ネジ構造２１ｅに摘み部２３ａの先端外周面の雄ネジ構造２３ｃを螺合させることで心棒２３が取外し可能に胴体部２１に取付けられている。
また、摘み部２３ａの螺合量を調節することで心棒２３を前後方向に移動させることができ、心棒２３の先端面２３ｄの位置を前後方向に調節できるようになっている。
【００３８】
なお、後述するように、静電気力だけで液体を良好に噴霧するためには、ノズル２２の開口部２２ｂをあまり大きな径にするのが難しいため、目詰まりが発生する場合があるが、上述のように、心棒２３を前後方向に移動させることができるため、ノズル２２に目詰まりが起きても心棒２３を移動させることで目詰まりを解消することができる。
【００３９】
図３は、図２の液体噴霧部２０の先端側を拡大した拡大断面図であり、図３（ａ）は、心棒２３の先端面２３ｄが後方に位置する場合であり、図３（ｂ）は、図３（ａ）の状態よりも心棒２３の先端面２３ｄが前方に位置する場合である。
【００４０】
図３（ａ）に示すようにノズル２２は、開口部２２ｂ側に向かってテーパ状に内径が小さくなるテーパ角度がαであるテーパ状内径部（範囲Ｗ１参照）を有しており、心棒２３は、先端面２３ｄに向かって外径が小さくなるテーパ角度がβであるテーパ形状部（範囲Ｗ２参照）を有している。
【００４１】
そして、ノズル２２のテーパ状内径部のテーパ角度αが、心棒２３のテーパ形状部のテーパ角度βよりも大きくされている。
また、心棒２３の先端面２３ｄの直径は、ノズル２２の開口部２２ｂの開口直径よりも小さい直径とされているが、心棒２３のテーパ形状部は、後端側に向かって徐々に直径が大きくなり、ノズル２２の開口部２２ｂの開口直径よりも直径の大きい部分を有するように形成されている。
【００４２】
上記のように、ノズル２２及び心棒２３の先端側を形成することによって、図３（ａ）及び図３（ｂ）を見比べるとわかるように、心棒２３を前後方向に移動させることでノズル２２と心棒２３とで形成される隙間の幅を調節できるようになり、ノズル２２の開口部２２ｂから出る液体の量を調節することができる。
【００４３】
また、図３（ｂ）で示す状態よりも、更に、心棒２３を前方側に動かすことで、心棒２３がノズル２２の内周面に当接し、ノズル２２の開口部２２ｂを閉塞することが可能である。
したがって、液体を噴霧しない状態において、ノズル２２の開口部２２ｂを心棒２３で閉塞させ、ノズル２２内の液体が乾燥することを防止することが可能であるため、ノズル２２の目詰まりを抑制できる。
【００４４】
（液体の基本的な噴霧状態）
次に、図２を参照しながら、まず、液体噴霧部２０から液体が噴霧される基本的な状態について説明を行い、その後、被塗物４０に液体を塗布するときの状態について説明する。
【００４５】
胴体部２１の液体供給口２１ａに供給された液体は、ノズル２２の先端側に供給されて行き、電圧印加手段５０（図１参照）によって被塗物４０及び吸着電極３０と心棒２３との間に印加された電圧で発生する被塗物４０及び吸着電極３０と心棒２３の間の静電気力だけで、前方側に引っ張られて前方に離脱・霧化する。
【００４６】
この液体が離脱・霧化する状態をより具体的に説明すると、図２に示すように、液体の心棒２３の先端面２３ｄ及びノズル２２の先端外周縁２２ａへの表面張力や粘度による付着力に対して、液体を前方に引っ張る静電気力が釣り合うことで、ノズル２２の先端側に供給された液体が、その先端で円錐形の形状となるテーラコーン６０が形成される。
【００４７】
このテーラコーン６０は、電場の作用によって、液体中で正／負電荷の分離が起こり、過剰電荷で帯電したノズル２２の先端のメニスカスが変形して円錐状となって形成されているものである。
そして、テーラコーン６０の先端から静電気力によって液体が真直ぐに引っ張られ、その先端で静電爆発が起こり、液体が離脱・霧化、つまり、噴霧される。
【００４８】
この噴霧される液体、つまり、ノズル２２から離脱して液体粒子となった液体は、離脱前の状態に比べ、空気に触れる面積が飛躍的に大きくなるため溶剤の気化が促進され、その溶剤の気化に伴って帯電している電子間の距離が近づき、さらに、静電反発（静電爆発）が発生して、より小さい粒径の液体粒子に分裂する。
【００４９】
この分裂が起こると、さらに、分裂前に比べ空気に触れる表面積が増えることになるため、溶剤の気化が促進され、上述したのと同様に静電爆発が発生し、さらに、小さい粒径の液体粒子に分裂する。
このようにノズル２２から静電爆発によって噴霧された液体は、噴霧後にも静電爆発が繰り返されることで、更に微粒化が促進され、極めて小さい粒子の状態で被塗物４０に塗布されることになる。
【００５０】
次に、吸着電極３０が配置される位置等についての説明を行いながら、ノズル２２から噴霧された液体が、被塗物４０に塗着するときの状態について説明する。
【００５１】
図１に示すように、被塗物４０は円柱状の棒状であり、吸着電極３０も、その被塗物４０の長さ方向に沿って配置されるように、棒状（本例では、外形が四角形状の棒状体）になっている。
そして、この吸着電極３０は、被塗物４０の近くの第１位置に配置されるものになっている。
【００５２】
具体的には、第１位置は、吸着電極３０を設けないで、静電気力だけで液体噴霧部２０のノズル２２から被塗物４０に向かって液体が噴霧されるように、被塗物４０と液体噴霧部２０の間に電圧を印加したときに、被塗物４０に塗着する液体が存在する範囲内の位置である。
【００５３】
このような第１位置に吸着電極３０を配置すると、先にも説明したように、吸着電極３０は、被塗物４０と同電位に保たれているため、吸着電極３０自体も液体が塗着するターゲットとなる。
【００５４】
このため、第１位置に吸着電極３０を配置した状態で、被塗物４０に沿って液体噴霧部２０を移動させながら、液体を噴霧する噴霧ステップを行うと、その噴霧ステップは、吸着電極３０を配置していなければ、被塗物４０に塗着できたはずの液体のうちの一部を吸着電極３０に吸着させて、被塗物４０に塗着させないものとなる。
【００５５】
図４は、ノズル２２から噴霧された液体が被塗物４０に塗着するところを示した図であり、図４（ａ）は吸着電極３０を配置した場合を示す図であり、図４（ｂ）は吸着電極３０を配置しなかった場合を示す図である。
【００５６】
先に説明したように、液体は、静電爆発によって、ノズル２２から噴霧されるほど、強く帯電しているため、静電気力によって、強く被塗物４０側に引き寄せられる。
【００５７】
このため、被塗物４０から見て、ノズル２２側（液体噴霧部２０側）を被塗物４０の前方側とし、前方側と反対側となる側を後方側とすると、図４（ｂ）に示すように、被塗物４０の左右外側を通過した液体粒子であっても、被塗物４０の後側に引き寄せられるほどに液体粒子は強く被塗物４０側に引き寄せられる。
【００５８】
そうすると、被塗物４０が、静電噴霧装置１０の図示しない被塗物４０を固定する固定手段で固定されているだけで、被塗物４０が回転しない場合、被塗物４０の左右外側を回り込んだ液体が二重に被塗物４０の後方側に塗着し、被塗物４０の後方側は、周方向の他の部分よりも膜厚が厚くなった出っ張り（点線丸囲み部Ａ参照）が形成されてしまうことになる。
【００５９】
一方、図４（ａ）に示すように、固定された被塗物４０の後方側であって、吸着電極３０を設けないときに、噴霧される液体のうち被塗物４０に塗着する液体が存在する範囲内の第１位置（例えば、被塗物４０からの距離が２０ｍｍ以内の位置）のように、被塗物４０の近くの位置に吸着電極３０が配置されていると、被塗物４０の左右外側を回り込んだ液体のうちの一部が吸着電極３０に吸着して、被塗物４０の後方側に付着しないため、図４（ｂ）で見られる出っ張り（点線丸囲み部Ａ参照）ができるのを抑制することができる。
【００６０】
なお、被塗物４０と吸着電極３０との間の距離は、被塗物４０の大きさ（外径）によって、適切な距離が変わるため、静電噴霧装置１０に、吸着電極３０の被塗物４０からの距離が調節できる距離調節手段を設けるようにすることが好ましく、その距離調節手段は、はじめのセッティングのときに距離を調節するものであっても、噴霧ステップを行っているときに、距離を変化させるものであってもよい。
【００６１】
また、本実施形態では、被塗物４０の後方側に出っ張りができないようにする場合について説明したが、被塗物４０の後方側だけ膜厚を薄くしたい場合には、吸着電極３０をより被塗物４０に近づけて配置するようにすれば、吸着電極３０に吸着される液体の量が増えるため、吸着電極３０を用いれば、被塗物４０の後方側だけ膜厚を薄くすることも可能である。
【００６２】
このように、第１実施形態では、被塗物４０が固定されている状態（周方向に回転できない状態）のときに、被塗物４０に対して塗着する液体の塗着量を部分的に変化させることができ、被塗物４０の後方側の塗膜の厚さを周方向の他の部分とほぼ同じ厚さにすることや、逆に、周方向の他の部分よりも薄くするという部分的な塗膜の厚みの調整が可能である。
【００６３】
なお、上記では、吸着電極３０の外形が四角形状であったが、吸着電極３０の外形は、四角形状に限られず、その他の多角形状（例えば、三角形状等）でもよく、また、円形状であってもよい。
【００６４】
ただし、先の説明でわかるように、吸着電極３０には、液体が付着することになるので、棒状のものとして、液体の噴霧が終わった後に、付着した液体を洗い流す清掃作業が行いやすいようにするのが好ましい。
【００６５】
（第２実施形態）
図５は本発明に係る第２実施形態の静電噴霧装置１０を説明するための斜視図である。
第２実施形態においても、静電噴霧装置１０の基本的な構成は、第１実施形態と同様であるため、以下では、第１実施形態と同様である点については説明を省略し、主に異なる点について説明を行う。
【００６６】
図５に示すように、第２実施形態では、被塗物４０から見て、液体噴霧部２０側を被塗物４０の前方側とし、その前方側と反対側となる側を後方側とし、残る側を側方側（図では被塗物４０の上下両サイド）とすると、被塗物４０の対向する側方側のそれぞれに、吸着電極３０（一方の吸着電極３０Ａ及び他方の吸着電極３０Ｂ）を配置している。
【００６７】
この吸着電極３０（一方の吸着電極３０Ａ及び他方の吸着電極３０Ｂ）は、吸着電極３０（一方の吸着電極３０Ａ及び他方の吸着電極３０Ｂ）全体で見たときの一端側（図左側）が、被塗物４０との間の離間距離がほぼ一定となるように、被塗物４０に沿って配置される第１端（左端）と第２端（右端）を有する直線部とされている。
【００６８】
また、この吸着電極３０（一方の吸着電極３０Ａ及び他方の吸着電極３０Ｂ）は、直線部の第２端から、さらに、吸着電極３０（一方の吸着電極３０Ａ及び他方の吸着電極３０Ｂ）全体で見たときの他端側（図右側）が、被塗物４０に沿って配置され、被塗物４０との間の離間距離が徐々に変わる（徐々に長くなる）ように、被塗物４０に対して傾斜した傾斜直線部とされている。
【００６９】
つまり、吸着電極３０（一方の吸着電極３０Ａ及び他方の吸着電極３０Ｂ）は、くの字状に曲がった棒状（くの字状の棒状体）になっている。
なお、吸着電極３０（一方の吸着電極３０Ａ及び他方の吸着電極３０Ｂ）の外形は、円形状になっている。
【００７０】
そして、第２電気配線５３は、電圧電源５１の他方の電極に接続されるのと反対側が３分岐された分岐配線を備えており、その分岐配線のうちの１つである第１分岐配線５３ａが被塗物４０に電気的に接続され、もう１つの分岐配線である第２分岐配線５３ｂが一対設けられている吸着電極３０のうちの一方の吸着電極３０Ａに電気的に接続され、残る１つの分岐配線である第３分岐配線５３ｃが一対設けられている吸着電極３０のうちの他方の吸着電極３０Ｂに電気的に接続されている。
【００７１】
なお、第２実施形態では、被塗物４０が図示しない回転手段によって周方向に回転可能に保持されており、被塗物４０に接続されている第１分岐配線５３ａは、被塗物４０に固定されているのではなく、電気的な接続が可能なように接触させただけの状態にされている。
【００７２】
また、吸着電極３０（一方の吸着電極３０Ａ及び他方の吸着電極３０Ｂ）は、少なくとも一部（具体的には直線部の部分）が被塗物４０からの距離で２０ｍｍ以内に位置するように配置されている。
【００７３】
そして、第２実施形態では、噴霧ステップが被塗物４０を周方向に回転させながら、被塗物４０に沿って、液体噴霧部２０を動かすようにして行われる。
そうすると、最も被塗物４０に近く配置されている吸着電極３０（一方の吸着電極３０Ａ及び他方の吸着電極３０Ｂ）の直線部の部分は、傾斜直線部の部分に比べ、吸着電極３０（一方の吸着電極３０Ａ及び他方の吸着電極３０Ｂ）を設けないときに、被塗物４０に塗着できたはずの液体を多く吸着し、膜厚が薄くなる。
【００７４】
なお、直線部は、被塗物４０との間の離間距離がほぼ一定となるように、被塗物４０に沿って配置されているため、この直線部に対応する被塗物４０の範囲では、被塗物４０上に形成される塗膜の厚さは、ほぼ均一な厚さとなる。
【００７５】
一方、傾斜直線部の部分では、吸着電極３０（一方の吸着電極３０Ａ及び他方の吸着電極３０Ｂ）全体で見たときの他端側に向かって、被塗物４０との間の離間距離が徐々に長くなっているため、他端側ほど吸着電極３０（一方の吸着電極３０Ａ及び他方の吸着電極３０Ｂ）に吸着される液体の量が減少し、逆に、被塗物４０に塗着する液体の量が増加する。
【００７６】
このため、傾斜直線部に対応する被塗物４０の範囲では、被塗物４０の端部側（図５の被塗物４０の右の端部側）に向かって、被塗物４０上に形成される塗膜の厚さが次第に厚くなるように液体が塗布されることになる。
【００７７】
なお、上記では、被塗物４０の対向する側方側のそれぞれに、吸着電極３０（一方の吸着電極３０Ａ及び他方の吸着電極３０Ｂ）を配置しているが、どちらか一方を配置しても同様に塗膜の厚さを変えることは可能である。
ただし、被塗物４０の対向する側方側のそれぞれに、吸着電極３０（一方の吸着電極３０Ａ及び他方の吸着電極３０Ｂ）を配置した方が、塗膜の厚さをコントロールしやすい。
【００７８】
また、上記では、吸着電極３０（一方の吸着電極３０Ａ及び他方の吸着電極３０Ｂ）がくの字状の棒状体になっているが、くの字状に限定される必要はない。
例えば、被塗物４０の第１端（左端）から第２端（右端）に向かって、塗膜の厚さを次第に厚くしたり、逆に、薄くしたりする場合には、真直ぐな直線状の吸着電極３０（一方の吸着電極３０Ａ及び他方の吸着電極３０Ｂ）を被塗物４０に対して傾けて配置するようにすればよい。
【００７９】
以上、具体的な実施形態に基づいて本発明の静電噴霧装置１０について説明してきたが、本発明は、上記の具体的な実施形態に限定されるものではなく、適宜、変形や改良を施したものも本発明の技術的範囲に含まれるものであり、そのことは、当業者にとって特許請求の範囲の記載から明らかである。
【符号の説明】
【００８０】
１０      静電噴霧装置
２０      液体噴霧部
２１      胴体部
２１ａ    液体供給口
２１ｂ    液体流路
２１ｃ    孔部
２１ｄ    後端開口部
２１ｅ    雌ネジ構造
２２      ノズル
２２ａ    先端外周縁
２２ｂ    開口部
２３      心棒
２３ａ    摘み部
２３ｂ    電気配線接続部
２３ｃ    雄ネジ構造
２３ｄ    先端面
２４      シール部材
３０      吸着電極
３０Ａ    一方の吸着電極
３０Ｂ    他方の吸着電極
４０      被塗物
５０      電圧印加手段
５１      電圧電源
５２      第１電気配線
５３      第２電気配線
５３ａ    第１分岐配線
５３ｂ    第２分岐配線
５３ｃ    第３分岐配線
５４      アース手段
６０      テーラコーン
【図１】
2019058864.tif 000003
【図２】
2019058864.tif 000004
【図３】
2019058864.tif 000005
【図４】
2019058864.tif 000006
【図５】
2019058864.tif 000007